(57)【要約】【課題】撮影者の眼までの距離や眼の位置によらず、視野がケラレない撮像装置を提供すること。【解決手段】被写体を撮像する撮像部（３）と、撮像部（３）によって撮像された撮影画像および撮影情報を表示可能な表示部（５）と接眼レンズ（６）を含んだ電子ビューファインダ（１０）と、ファインダ接眼枠から撮影者の眼までの距離を測距する眼の位置検出手段（８）を有する撮像装置（１００）において、前記検出手段（８）によって測距した測距結果に基づいて撮影画像および撮影情報の少なくとも一方の表示倍率を調整する調節手段を含み、前記調節手段は、前記検出手段（８）によって測距した測距結果が大きくなるのに応じてファインダ用表示部に表示された撮影画像および撮影情報の少なくとも一方の表示倍率を低くすることを特徴とする。【選択図】図３
2016103680.tif 000002
【特許請求の範囲】
【請求項１】
被写体を撮像する撮像部（３）と、
撮像部（３）によって撮像された撮影画像および撮影情報を表示可能な表示部（５）と接眼レンズ（６）を含んだ電子ビューファインダ（１０）と、
ファインダ接眼枠から撮影者の眼までの距離を測距する眼の位置検出手段（８）を有する撮像装置（１００）において、
前記検出手段（８）によって測距した測距結果に基づいて撮影画像および撮影情報の少なくとも一方の表示倍率を調整する調節手段を含み、
前記調節手段は、前記検出手段（８）によって測距した測距結果が大きくなるのに応じてファインダ用表示部に表示された撮影画像（２０８）および撮影情報（２０７）の少なくとも一方の表示倍率を低くすることを特徴とする撮像装置（１００）。
【請求項２】
前記調整手段は、撮像装置（１００）によって自動調整されることを特徴とする請求項１に記載の撮像装置（１００）。
【請求項３】
前記検出手段の判別にあわせて前記電子ビューファインダ（１０）の表示/非表示を切り替えることを特徴とする請求項１に記載の撮像装置（１００）。
【請求項４】
前記電子ビューファインダ（１０）で再生する再生画像についても、前記調整手段を適用することを特徴とする請求項１に記載の撮像装置（１００）。
【請求項５】
被写体を撮像する撮像部（３）と、
撮像部（３）によって撮像された撮影画像および撮影情報を表示可能な表示部（５）と接眼レンズ（６）を含んだ電子ビューファインダ（１０）と、
表示部（５）に平行な面内での撮影者の眼の位置を検出する検出手段（８）を有する撮像装置（１００）において、
前記検出手段（８）によって検出された検出結果に基づいて撮影画像および撮影情報の少なくとも一方の表示を移動する移動手段を含み、
前記移動手段は、前記検出手段（８）によって検出された眼の検出位置に応じてファインダ用表示部に表示された撮影画像（２０８）および撮影情報（２０７）の少なくとも一方の表示を移動することを特徴とする撮像装置（１００）。
【請求項６】
前記請求項１に記載の調整手段を備えたことを特徴とする請求項５に記載の撮像装置（１００）。
【請求項７】
前記移動手段は、撮像装置（１００）によって自動で移動されることを特徴とする請求項５又は請求項６に記載の撮像装置（１００）。
【請求項８】
前記検出手段の判別にあわせて前記電子ビューファインダ（１０）の表示/非表示を切り替えることを特徴とする請求項５又は請求項６に記載の撮像装置（１００）。
【請求項９】
前記電子ビューファインダ（１０）で再生する再生画像についても、前記移動手段を適用することを特徴とする請求項５又は請求項６に記載の撮像装置（１００）。
【請求項１０】
撮影情報を表示可能なファインダ内液晶装置（１２、１３）を含んだ光学ファインダと、
撮影者の眼の位置を検出する検出手段（８）を有する撮像装置（１００）において、
前記検出手段（８）によって検出された検出結果に基づいて撮影情報表示（２０７）を移動する移動手段を含み、
前記移動手段は、前記検出手段（８）によって検出された眼の検出位置に応じてファインダ内液晶装置（１２、１３）に表示された撮影情報表示（２０７）を移動することを特徴とする撮像装置（１００）。
【請求項１１】
前記移動手段は、撮像装置（１００）によって自動で移動されることを特徴とする請求項１０に記載の撮像装置（１００）。
【発明の詳細な説明】
【技術分野】
【０００１】
本発明は、電子ビューファインダを搭載した撮像装置に関し、特に電子ビュー被写体像の表示に関する。
【背景技術】
【０００２】
デジタル一眼レフカメラなどの撮像装置において、撮影レンズを通った光を反射鏡を用いて反射させ、スクリーン上に結像させた像を撮影者が覗きながら撮影するための光学ファインダ（Ｏｐｔｉｃａｌ  Ｖｉｅｗ  Ｆｉｎｄｅｒ）を備えたものがある。
【０００３】
しかしながら、光学ファインダは複数の光学部材を備えているため、カメラが大きくなる、重量が重くなるという傾向がある。
【０００４】
これに対して、近年では、前期複数の光学部材を省略することで、小型軽量化が実現可能である、被写体像を液晶表示する電子ビューファインダ（Ｅｌｅｃｔｒｏｎｉｃ  Ｖｉｅｗ  Ｆｉｎｄｅｒ）の撮像装置が多数普及している。
【０００５】
通常、撮影者がファインダを用いた撮影を行う際、視野の全域が快適に視認可能であるファインダ接眼枠から撮影者の眼までの距離、すなわちアイポイントが撮像装置の取扱い説明書等に記載されている。
【０００６】
図９は各撮影状態を示した図であり、（ａ）−１、（ｂ）−１、（ｃ）−１は眼鏡を使用しない撮影者がファインダを用いた撮影を行う状態、（ａ）−２、（ｂ）−２、（ｃ）−２はたとえば眼鏡を装着した撮影者がファインダを用いた撮影を行う状態を示した図である。ファインダ内には被写体像２０８や撮影情報表示２０７が表示される。
【０００７】
このように、眼鏡を装着した撮影者がファインダを用いた撮影を行う場合、眼鏡を装着したことによって、１０１で示すＡの距離の分、ファインダ接眼枠から撮影者の眼までの距離が長くなる状況が発生する。
【０００８】
その結果、接眼枠１０２が撮影者の眼１０５とファインダ用表示部１０３の光路を遮ることで視野がかける現象、いわゆるケラレ１０４（ｂ）〜（ｄ）が発生する恐れがある。
このような状況で撮影を行う場合、被写体像２０８のケラレる領域を確認するために撮影者が眼をシフトする必要がある。
【０００９】
しかし、ケラレる領域は特に四隅（１０４（ｂ）、（ｃ））で発生することが多いため、その都度眼を四隅へシフトして構図を決めていては撮影タイミングを逃してしまう恐れがある。また、撮影者がケラレに気づかずに撮影を続けてしまった場合、意図しない被写体が写りこんでしまったり、ファインダ内の下端に撮影情報が表示された撮像装置の場合、意図しない撮影モードで撮影を続けてしまう恐れがある。
【００１０】
図１０は撮影者がファインダを用いた撮影を行うときの撮影者の眼の位置を示した図である。ファインダ用表示部１０３の中心をファインダ中心２０６と定める。（ａ）−１、（ｂ）−１はファインダ中心２０６に撮影者の眼の位置が一致している状態で、（ａ）−２、（ｂ）−２はファインダ中心２０６から撮影者の眼の位置がずれた状態を示している。ファインダ内には被写体像２０８や撮影情報表示２０７が表示される。
【００１１】
また、図１０（ａ）−２、（ｂ）−２に示すように、たとえば急いで撮影した場合や窮屈な姿勢で撮影した場合、２０１で示すＢ、Ｃの距離の分ファインダ用表示部１０３に平行な面内で上下左右に撮影者の眼の位置がずれてしまう。その結果、接眼枠２０２が撮影者の眼と液晶表示部２０３の光路を遮ることで被写体像２０８や撮影情報表示２０７がかける現象、いわゆるケラレ１０４（ｅ）、（ｆ）が発生する恐れがある。このような状況で撮影を行う場合、被写体像２０８のケラレた領域を確認するために撮影者が眼をシフトする必要がある。
【００１２】
しかし、ケラレる領域は端部（１０４（ｅ）、（ｆ））で発生するため、急いで撮影した場合、その都度眼をシフトして構図を決めていては撮影タイミングを逃してしまう恐れがある。また、窮屈な姿勢で撮影した場合は眼の位置をファインダ中心２０６にシフトしたくてもできない場合もある。
【００１３】
撮影者がケラレに気づかずに撮影を続けてしまった場合、意図しない被写体が写りこんでしまったり、ファインダ内の下端に撮影情報が表示された撮像装置の場合、意図しない撮影モードで撮影を続けてしまう恐れがある。
【００１４】
以上のような課題に対して、アイポイントが長く設定された撮像装置が存在する。しかしこの場合、限られた接眼枠サイズでアイポイントを長く設定すると、被写体像が接眼枠でケラレないようにするために被写体像２０８を小さくしなければならない。すなわち、ファインダ倍率を一律下げる必要があるため、被写体像２０８の見易さが低下する問題が生じる。
【００１５】
ファインダ接眼枠から撮影者の眼までの距離が変化した場合に対応する手段として、特許文献１では、表示画面から撮影者の眼までの距離を検出して、カメラの撮影倍率を調整する手段を有した携帯端末が開示されている。
【００１６】
これによると、携帯端末の表示画面から撮影者の眼までの距離を検出し、眼から表示画面までの距離Ｄ１および、カメラから被写体までの距離Ｄ２を測定し、測定結果に基づいてカメラの撮影倍率を調整する。なお、表示画面から撮影者の眼までの距離を検出する手段は携帯端末に内蔵されたカメラによる顔画像認識機能を用いており、表示画面から撮影者の眼までの距離Ｄ１はカメラのオートフォーカス機能や赤外線の反射を利用した方法を用いている。
【００１７】
カメラの撮影倍率の調整方法としては、携帯端末の表示画面で被写体が隠れる範囲を撮像幅Ｓとし、その撮像幅Ｓの範囲を撮像するようにカメラの撮影倍率を変更している。
【００１８】
また、ケラレを回避するための手段として、特許文献２では、トリミングを行うことで視野枠を小さくする手段が開示されている。
【先行技術文献】
【特許文献】
【００１９】
【特許文献１】特開２０１２−０８０１９３号公報
【特許文献２】特願平５−１９３３３号公報
【発明の概要】
【発明が解決しようとする課題】
【００２０】
しかしながら、上述の特許文献１に開示された従来技術では、表示画面から撮影者の眼までの距離が変化した場合において、眼を測距することは有効な手段であるが、測距結果を用いて撮影倍率を調整するという点で、今回のケラレ問題の解決にはならない。
また、特許文献２に開示された従来技術では、所望の被写体が視野枠の端に存在する場合には、視野枠をトリミングすることで被写体が視野枠から外れてしまう可能性が考えられる。
【００２１】
そこで、本発明の第１の目的は、ファインダ接眼枠から撮影者の眼までの距離によらず、視野がケラレない撮像装置を提供することにある。また、本発明の第２の目的は、ファインダ用表示部に平行な面内での撮影者の眼の位置によらず、視野がケラレない撮像装置を提供することにある。
【課題を解決するための手段】
【００２２】
上記第１の目的を達成するために、本発明の撮像装置は、
被写体を撮像する撮像部と、
撮像部によって撮像された撮影画像および撮影情報を表示可能な表示部と接眼レンズを含んだ電子ビューファインダと、
ファインダ接眼枠から撮影者の眼までの距離を検出する眼の位置検出手段を有する撮像装置において、
前記検出手段によって測距された測距結果に基づいて撮影画像および撮影情報の少なくとも一方の表示倍率を調整する調節手段を含み、
前記調節手段は、前記検出手段によって測距された測距結果が大きくなるのに応じてファインダ用表示部に表示された撮影画像および撮影情報の少なくとも一方の表示倍率を低くすることを特徴とする。
【００２３】
さらに上記第２の目的を達成するために、本発明の撮像装置は、
被写体を撮像する撮像部と、
撮像部によって撮像された撮影画像および撮影情報を表示可能な表示部と接眼レンズを含んだ電子ビューファインダと、
表示部に平行な面内での撮影者の眼の位置を検出する眼の位置検出手段を有する撮像装置において、
前記検出手段によって検出された検出結果に基づいて撮影画像および撮影情報の少なくとも一方の表示を移動する移動手段を含み、
前記移動手段は、前記検出手段によって検出された眼の検出位置に応じてファインダ用表示部に表示された撮影画像および撮影情報の少なくとも一方の表示を移動することを特徴とする。
【発明の効果】
【００２４】
本発明によれば、ファインダ接眼枠から撮影者の眼までの距離や表示部に平行な面内での眼の位置によらず、視野がケラレない撮像装置を提供することができる。
【図面の簡単な説明】
【００２５】
【図１】本発明の実施形態に係る撮像装置の構成図
【図２】本発明の実施形態に係る撮像装置のブロック図
【図３】本発明の実施例１に係る撮像装置において行われる撮像手順を示すフローチャート
【図４】本発明の実施例１に係る効果の説明図
【図５】本発明の実施例２に係る撮像装置において行われる撮像手順を示すフローチャート
【図６】本発明の実施例２に係る効果の説明図
【図７】本発明の実施例３に係る撮像装置の構成図
【図８】本発明の実施例３に係る撮像装置において行われる撮像手順を示すフローチャート
【図９】従来の課題の説明図
【図１０】従来の課題の説明図
【発明を実施するための形態】
【００２６】
以下に、本発明の好ましい実施の形態を、添付の図面に基づいて詳細に説明する。          
【００２７】
図１は本発明の実施形態に係る撮像装置の概略構成を示す断面図である。図１に示すように、撮像装置１００にはマウント１を介して撮影光学系を有する撮影レンズユニット２が着脱可能に装着されている。なお、撮影光学系を有する撮影レンズユニット２は交換可能ではなく、撮像装置１００に一体的に固定されていてもよい。
【００２８】
撮像装置１００には、シャッタ９、および、撮像部３が配設されている。撮影レンズユニット２で集光された撮影被写光は、シャッタ９に設置された先幕９ａ、後幕９ｂとをスリット走行させることで、光束の露出制御が行われる。その後、シャッタを通過した光束は撮像部３へ導かれる。
【００２９】
撮像部３には、撮影光学系を通過した被写体像（光学像）が結像し、撮像部３は、光電変換によって光学像に応じた電気信号（アナログ信号または画像信号）を出力する。撮像部３としては、例えば、ＣＭＯＳ（Ｃｏｍｐｌｅｍｅｎｔａｒｙ  ＭＯＳ）センサが用いられる。なお、ＣＭＯＳセンサの代わりにＣＣＤ（Ｃｈａｒｇｅ  Ｃｏｕｐｌｅ  Ｄｅｖｉｃｅ）センサなどの他の撮像デバイスを用いるようにしてもよい。
【００３０】
撮像装置１００には、撮影者が被写体を観察しながら撮影するために用いられる接眼部が設けられており、本実施例では、ファインダ用表示部５と接眼レンズ６から構成されている電子ビューファインダ１０となっている。
【００３１】
ファインダ用表示部５は撮影レンズユニット２によって撮像部３に導かれた撮影被写界像が光電変換処理された後に表示される。表示された撮影被写界像は接眼レンズ６を通して、撮影者が容易に撮影被写界を見ることが可能である。
【００３２】
電子ビューファインダ１０の後方には、接眼枠７が配置されている。接眼枠７は、撮影者がファインダを覗いた際、ファインダ用表示部５がケラレることなく視認可能であり、かつ外光が入射して視界を妨げることを防止するために最適なサイズとなっている。
【００３３】
接眼枠後方には本実施例の特徴を示す、撮影者の眼を検出するための眼の位置検出手段８が配設されている。本実施例において、眼の位置検出手段８は、接眼枠７の妨げにならないよう、接眼枠７より撮影者側に配設されている。しかしながら、眼の位置検出手段８の配設箇所についてはこの限りではない。なお、眼の位置検出手段８による眼の検出方法については、公知の技術である、画像認識機能やカメラのオートフォーカス機能、赤外線の反射を利用した方法を用いている。
【００３４】
接眼枠の下に配置されるＴＦＴモニター４は、ＴＦＴカラー液晶などを用いた外部表示装置であり、撮影直後のプレビュー画像や、すでに撮像装置内の記録部に記録されている画像を確認する際に用いる。
【００３５】
図２は本発明の実施形態に係る撮像装置の概略構成を示すブロック図である。図２において、撮像装置１００は、カメラマイコン２１、ＲＯＭ２２、ＲＡＭ２３、撮像部３、画像処理部２５、記録部２６、ＴＦＴモニター４、操作部２８、電子ビューファインダ１０、眼の位置検出手段８を具備している。
【００３６】
カメラマイコン２１は、撮像装置１００のシステム制御を行うマイクロコンピュータである。ＲＯＭ２２、ＲＡＭ２３はデータを保持する領域を持つ。ＲＯＭ２２は不揮発性のメモリであり、ＲＡＭ２３は揮発性メモリである。ＲＯＭ２２には、カメラマイコン２１が動作するためのプログラムが記録されている。ＲＡＭ２３は、カメラマイコン２１が撮像装置１００を制御する際、作業領域として使用される。
【００３７】
また、撮像装置１００がどのような設定をされているか、どのように動作しているかなどを示す本体情報を保持する。ＲＡＭ２３に保存される設定情報としては、撮像装置１００が録画モードで動作しているか、再生モードで動作しているかなどのモード情報などがある。
【００３８】
撮像部３は、被写体をデータ信号に変換し、マイコン２１からの指示により画像データを生成し、画像処理部２５へ出力する。画像処理部２５は、撮像部３で生成された画像データのリサイズや輝度補正、映像圧縮などを行い、記録部２６に出力する。記録部２６は、画像処理部で得られた画像データを記録する。記録部２６としては例えば、ＳＤカード、ＦＬＡＳＨメモリ、ハードディスクなどがあげられる。
【００３９】
ＴＦＴモニター４は、例えば液晶ディスプレイなどにより構成される。ＴＦＴモニター４には、撮像部３で撮影された画像データや、撮像装置１００の設定アイコンなどが表示される。操作部２８は、撮像部３による撮影や、電源のＯＮ/ＯＦＦの切り替え信号をカメラマイコン２１に出力する。電子ビューファインダ１０は、撮影中の被写体像２０８を接眼枠を通してみることができるようにするもので、撮影された画像データや撮影情報の表示も行う。
【００４０】
眼の位置検出手段８は、ファインダ接眼枠から撮影者の眼までの距離を測距する。測定した値と撮像装置１００のアイポイント規格を比較し、電子ビューファインダ１０に表示された被写体像２０８および撮影情報表示部の倍率の変更指示を行うか否かを判断するのに眼の位置検出手段８を用いる。
【００４１】
眼の位置検出手段８は、ファインダ用表示部５に平行な面内での撮影者の眼の位置も測定することができる。測定した撮影者の眼の位置とファインダ中心を比較し、電子ビューファインダ１０に表示された被写体像２０８および撮影情報表示２０７の位置の変更指示を行うか否かを判断するのに用いる。なお、前記比較の詳細内容については後述する。
【００４２】
［実施例１］
次に、図３に示すフローチャートを用いて、上記構成からなる撮像装置を用いた本発明の第１の実施例の撮像手順について説明する。まず始めに、ファインダ内に設けられた眼の位置検出手段８を有する撮像装置１００において、眼の位置検出手段８により撮影状態がファインダを用いた撮影方法、いわゆる、ファインダ撮影モードとなっているか判断される（ステップＳ１０１）。ここで、眼の位置検出手段８により眼が検出されなかった場合は、撮影状態がファインダ撮影モードでないと判断され、撮像装置１００の背面に配設されたＴＦＴモニター４を用いた撮影方法、いわゆる、ＴＦＴ撮影モードへと移行する。
【００４３】
ＴＦＴ撮影モードへ移行した場合には、電子ビューファインダ１０のファインダ用表示部５を使用することはないため、節電のため非表示状態とする。ただし、本実施例の効果を得るためには、眼の位置検出手段８により眼が検出されるまでステップＳ１０１を繰り返す。ステップＳ１０１によってファインダ撮影モードと判断された場合、その直後に電子ビューファインダ１０内に設置されたファインダ用表示部５が表示状態となる（ステップＳ１０２）。再び眼の位置検出手段８によって、ファインダ接眼枠７から撮影者の眼までの距離を測距するステップＳ１０３へと移行する。
【００４４】
なお、撮像装置１００には、ファインダ内の被写体像２０８や撮影情報をケラレなくすべて視認可能となるファインダ接眼枠７から撮影者の眼までの距離、すなわちアイポイントが設定され、取扱い説明書等に記載されている。一般的に接眼枠から撮影者の眼までの距離が撮像装置１００に規定されたアイポイントから遠ざかってしまった場合、ファインダの四隅やファインダ内に設けられた各種撮影情報表示２０７のケラレが発生しやすくなる。そこで、ステップＳ１０３で測距した接眼枠から撮影者の眼までの距離と撮像装置に規定されたアイポイントの比較を行うステップＳ１０４へと移行する。
【００４５】
ここで、本実施例における眼の位置検出手段８は、接眼枠７近傍に配設されている。このため、本実施例におけるステップＳ１０４は、眼の位置検出手段８によって測距された値に、ファインダ接眼枠７から眼の位置検出手段８までの距離を加算した値とアイポイントを比較することとなる。
【００４６】
ステップＳ１０４で接眼枠から撮影者の眼までの距離が撮像装置１００のアイポイントより長いと判定された場合、前述の通り、一般的な撮像装置の場合、ケラレが発生しやすくなる。このため、本実施例においては、ケラレを回避するために、被写体像２０８や撮影情報表示倍率を縮小するステップＳ１０５へと移行する。これにより被写体像２０８や撮影情報表示２０７がケラレずに快適な撮影を行うことが可能となる。その後、通常の撮影操作へと移行する。
【００４７】
一方、ステップＳ１０４において、前述した撮像装置の説明書等に記載された所定のアイポイントに収まっていると判定された場合、被写体像２０８のケラレは発生しないため、被写体像２０８や撮影情報表示倍率の調整は行わないステップＳ１０６へ移行する。その後、通常の撮影操作へと移行する。
【００４８】
ここで、本実施例における特徴的な手段である、被写体像２０８や撮影情報表示倍率を縮小するステップＳ１０５の効果について図４（ａ）〜（ｃ）を用いて説明する。
【００４９】
図４（ａ）は、ファインダ用表示部５に表示された被写体像２０８および撮影情報表示倍率をともに縮小したものである。これによると、通常の撮像装置では図９（ｃ）−２に示すように、被写体像２０８の四隅（１０４（ｂ）、１０４（ｃ））や下端部（１０４（ｄ））にケラレが発生していたものが、被写体像２０８の隅々までケラレることなく視認可能となっている。
【００５０】
本実施例では、被写体像２０８の表示倍率を一律一定倍率で縮小するのではなく、接眼枠から撮影者の眼までの距離を測距する。同時に、撮像装置に規定されたアイポイントとの比較を行うことで、撮影者の眼までの距離によって常に被写体像２０８が最適な表示倍率になるよう自動調整を行う。これにより、被写体像２０８の表示倍率の低下を最小限に抑えることが可能となることで、被写体像２０８の見易さに対する影響を最小限に抑えることが可能である。
【００５１】
図４（ｂ）、（ｃ）は、ファインダ用表示部５に表示された被写体像２０８、若しくは撮影情報表示２０７のいずれかの表示倍率を縮小したものである。図４（ｂ）はファインダ用表示部５に表示された被写体像２０８のみ縮小表示したものであり、被写体像２０８の隅々まで集中して撮影を行いたいユーザ向けの設定となっている。図４（ｃ）はファインダ用表示部５に表示された撮影情報表示２０７のみ縮小表示したものであり、ファインダの見易さを重視し、かつ、撮影情報の確認を念入りに行いたいユーザ向けの設定となっている。図４（ａ）〜（ｃ）のモード選択はいずれも撮影者が撮像装置１００を介して設定可能となっている。
【００５２】
なお、これまで撮影状態におけるケラレ対策について述べてきたが、本実施例は特に撮影状態に限らず、例えばあらかじめ撮影した画像をファインダ用表示部５を用いて再生表示する際にも適用される。
【００５３】
［実施例２］
次に、図５に示すフローチャートを用いて、上記構成からなる撮像装置を用いた本発明の第２の実施例による撮像手順について説明する。実施例２では実施例１で述べた接眼枠から撮影者の眼までの距離は一定である。すなわちアイポイントと眼の位置が一致した状態で説明する。撮影モードの判定ステップＳ２０１、Ｓ２０２については実施例１のＳ１０１、Ｓ１０２と同一手順であり、詳細説明は省略する。
【００５４】
ステップＳ２０１によってファインダ撮影モードと判断された後、再び眼の位置検出手段８によって、ファインダ中心２０６から撮影者の眼までの位置を検出するステップＳ２０３へと移行する。
【００５５】
なお、撮像装置１００には、ファインダ内の被写体像２０８や撮影情報表示２０７をケラレなくすべて視認可能となるファインダ中心２０６から撮影者の眼の位置の最適な範囲があらかじめ設定されている。撮影者の眼の位置が最適な範囲内であれば、視野の全域が快適に視認可能である。
【００５６】
一般的に撮影者の眼の位置がファインダ用表示部５に平行な面内でファインダ中心２０６から上下左右に撮影者の眼の位置２０５が大きくずれてしまった場合、図１０（ｂ）−２に示すようにファインダの四隅やファインダ内に設けられた各種撮影情報表示２０７のケラレが発生してしまう。そこで、ステップＳ２０３で検出した撮影者の眼の位置とファインダ中心２０６の比較を行うステップＳ２０４へと移行する。
【００５７】
ステップＳ２０４で撮影者の眼の位置が最適な眼の位置の範囲外と判定された場合、前述の通り、一般的な撮像装置の場合、ケラレが発生しやすいため、本実施例においては、被写体像２０８や撮影情報表示２０７を移動するステップＳ２０５へと移行する。これにより被写体像２０８や撮影情報表示２０７がケラレずに快適な撮影を行うことが可能となる。その後、通常の撮影操作へと移行する。
【００５８】
一方、ステップＳ２０４において、前述した最適な眼の位置の範囲に収まっていると判定された場合、被写体像２０８のケラレは発生しないため、被写体像２０８や撮影情報表示２０７の移動は行わないステップＳ２０６へ移行する。その後、通常の撮影操作へと移行する。ここで、本実施例における特徴的な手段である、被写体像２０８や撮影情報表示２０７を移動するステップＳ２０５の効果について図６（ａ）〜（ｄ）を用いて説明する。
【００５９】
図６（ａ）は、ファインダ用表示部５に表示された被写体像２０８および撮影情報表示２０７をともに移動したものである。図６（ｄ）は、ファインダ用表示部５に表示された被写体像２０８および撮影情報表示２０７をともに移動する前のものである。
【００６０】
図６（ｄ）は、図１０（ａ）−２の状態でのファインダ用表示部５に表示された被写体像２０８および撮影情報表示２０７を示したものであり、図１０（ｂ）−２と同一である。これによると、通常の撮像装置では図６（ｄ）や図１０（ｂ）−２に示したように、被写体像２０８の下端部（１０４（ｅ））や左端部（１０４（ｆ））にケラレが発生していたものが、本実施例によると、図６（ａ）に示すように被写体像２０８の隅々までケラレることなく視認可能となっている。図１０（ａ）−２で示されたファインダ中心２０６からの距離Ｂの分撮影画像を移動し、距離Ｃの分撮影情報表示２０７を移動した後の表示が図６（ａ）である。
【００６１】
本実施例では、被写体像２０８の表示位置を撮影者の眼の位置を検出すると同時にファインダ中心２０６との距離を比較することで、その都度撮影者の眼の位置によって最適位置になるよう自動調整を行う。このため、被写体像２０８の見易さに対する影響を最小限に抑えることが可能である。図６（ｂ）、（ｃ）は、ファインダ用表示部５に表示された被写体像２０８、若しくは撮影情報表示２０７のいずれかを移動したものである。
【００６２】
図６（ｂ）は、ファインダ用表示部５に表示された被写体像２０８のみをファインダ中心２０６から距離Ｂの分移動したものであり、被写体像２０８の隅々まで集中して撮影を行いたいユーザ向けの設定となっている。図６（ｃ）は、ファインダ用表示部５に表示された撮影情報表示２０７のみをファインダ中心２０６から距離Ｂと距離Ｃの分移動したものである。ファインダの見易さを重視し、かつ、撮影情報の確認を念入りに行いたいユーザ向けの設定となっている。図６（ｂ）、（ｃ）のモード選択はいずれも撮影者が撮像装置１００を介して設定可能となっている。
【００６３】
上記実施例２は実施例１と併用し、眼の位置検出手段８によって接眼枠から撮影者の眼までの距離と、表示部５に平行な面内での眼の位置をともに検出し、撮影画像や撮影情報の倍率の縮小と移動の両方を行うことも可能である。なお、これまで撮影状態におけるケラレ対策について述べてきたが、本実施例は特に撮影状態に限らず、例えばあらかじめ撮影した画像をファインダ用表示部１０３を用いて確認する際にも適用される。
【００６４】
［実施例３］
次に、本発明の第３の実施例による撮像手順について説明する。実施例３では実施例２同様に実施例１で述べた接眼枠から撮影者の眼までの距離は一定である。すなわちアイポイントと眼の位置が一致した状態で説明する。
【００６５】
実施例３は、実施例２の電子ビューファインダの代わりに従来の光学ファインダを用いた撮像装置での本発明を適用した撮像手順について説明する。図７は光学ファインダで構成された本発明の実施形態に係る撮像装置の概略構成を示す断面図である。
【００６６】
従来の光学ファインダを用いた撮像装置は、撮影準備状態ではハーフミラー１５を配置して撮影レンズユニット２より入射した光束を光学ファインダ１６へ向かう光束と撮像面へ向かう光束とに分割している。具体的には、光学ファインダ１６へ向かう光束はハーフミラー１５で反射され、ペンタプリズム１１、接眼レンズ６を介して撮影者の目に導かれる。従来の光学ファインダを用いた撮像装置では表示する情報量を増大させるために、ファインダ内液晶表示装置を備えたものが一般的になっている。
【００６７】
図７に示すようにファインダ視野内には視野透過率が高く光学ファインダの被写界像が暗くならない高分子拡散液晶（ＰＮＬＣＤ）１２を設け、視野外には液晶表示装置１３を設けている。視野内には高分子拡散液晶（ＰＮＬＣＤ）１２に表示された撮影情報表示２０７が被写体像２０８に重ねて表示される。また、視野外には液晶表示装置１３に表示された撮影情報表示２０７がプリズム１４を介されてファインダ内に表示される。
【００６８】
光学ファインダの場合には図８に示すフローチャートが適用される。撮影モードの判定ステップＳ３０１、Ｓ３０３〜Ｓ３０６については実施例２のＳ２０１、Ｓ２０３〜Ｓ２０６と同一手順であり、詳細説明は省略する。ファインダ内液晶表示装置を電子ビューファインダのファインダ用表示部１０３の代わりに使用して撮影情報表示２０７のみの移動が可能である。ここで、本実施例における特徴的な手段である、撮影情報表示２０７を移動するステップＳ３０５の効果について図６（ｃ）、（ｄ）を用いて説明する。
【００６９】
図６（ｃ）は、ファインダ内に表示された撮影情報表示２０７を移動したものである。図６（ｄ）は、ファインダ内に表示された撮影情報表示２０７を移動する前のものである。図６（ｄ）は、図１０（ａ）−２の状態でのファインダ内に表示された被写体像２０８および撮影情報表示２０７を示したものであり、図１０（ｂ）−２と同一である。撮影情報表示２０７は図６（ｃ）では高分子拡散液晶（ＰＮＬＣＤ）１２で表示されており、図６（ｄ）では液晶表示装置１３で表示されている。
【００７０】
これによると、通常の撮像装置では図６（ｄ）や図１０（ｂ）−２に示したように、撮影情報表示２０７の下端部（１０４（ｅ））にケラレが発生していたものが、本実施例によると、図６（ｃ）に示すように撮影情報表示２０７がケラレることなく視認可能となっている。図１０（ａ）−２で示されたファインダ中心２０６から距離Ｃの分ケラレていた液晶表示装置１３の撮影情報表示２０７を高分子拡散液晶（ＰＮＬＣＤ）１２へ移動した後の表示が図６（ｃ）である。
【００７１】
本実施例では、撮影情報表示２０７の表示位置を撮影者の眼の位置を検出すると同時にファインダ中心２０６との距離を比較することで、その都度撮影者の眼の位置によって最適位置になるよう自動調整を行う。このため、撮影情報表示２０７の見易さに対する影響を最小限に抑えることが可能である。
【００７２】
以上、本発明の好ましい実施形態について説明したが、本発明はこれらの実施形態に限定されず、その要旨の範囲内で種々の変形及び変更が可能である。
【符号の説明】
【００７３】
３  撮像部、７  接眼枠、８  眼の位置検出手段、１０  電子ビューファインダ、
１００  撮像装置
【図１】
2016103680.tif 000003
【図２】
2016103680.tif 000004
【図３】
2016103680.tif 000005
【図４】
2016103680.tif 000006
【図５】
2016103680.tif 000007
【図６】
2016103680.tif 000008
【図７】
2016103680.tif 000009
【図８】
2016103680.tif 000010
【図９】
2016103680.tif 000011
【図１０】
2016103680.tif 000012